【手続補正書】
【提出日】平成16年9月7日(2004.9.7)
【手続補正１】
【補正対象書類名】明細書
【補正対象項目名】特許請求の範囲
【補正方法】変更
【補正の内容】
【特許請求の範囲】
【請求項１】
少なくとも結着樹脂、ワックス及びカーボンブラックを含有するブラックトナーであって、前記ブラックトナーの損失弾性率Ｇ”のピークが５０〜７０℃の温度範囲内に存在し、貯蔵弾性率Ｇ’が１×１０６（ｄＮ／ｍ２）を示すときの温度をＴ１、貯蔵弾性率Ｇ’が１×１０５（ｄＮ／ｍ２）を示すときの温度をＴ２としたとき、Ｔ１は８５〜１０５℃の温度範囲内にあり、かつΔＴ＝Ｔ２−Ｔ１≧２０℃であって、前記ブラックトナーは、カーボンブラックを結着樹脂１００質量部当たり０．５〜１０質量部含有し、前記ブラックトナーの断面ＴＥＭ観察によって測長されるカーボンブラックの平均一次粒径が１４〜６０ｎｍであることを特徴とするブラックトナー。
【請求項２】
ΔＴ≧２５℃であることを特徴とする請求項１記載のブラックトナー。
【請求項３】
前記ブラックトナーは、示差走査熱量測定（ＤＳＣ）における吸熱曲線において、温度３０〜２００℃の範囲に１個又は複数の吸熱ピークを有し、該吸熱ピーク中の最大吸熱ピークのピーク温度が６０〜１１０℃の範囲にあることを特徴とする請求項１又は２に記載のブラックトナー。
【請求項４】
前記ブラックトナーは、芳香族カルボン酸誘導体の金属化合物を含有していることを特徴とする請求項１〜３のいずれか一項に記載のブラックトナー。
【請求項５】
前記芳香族カルボン酸誘導体の金属化合物は、芳香族カルボン酸誘導体のアルミニウム化合物であることを特徴とする請求項４に記載のブラックトナー。
【請求項６】
前記結着樹脂は、（ａ）ポリエステル樹脂、（ｂ）ポリエステルユニットとビニル系共重合体ユニットを有しているハイブリッド樹脂、（ｃ）ハイブリッド樹脂とビニル系共重合体との混合物、（ｄ）ポリエステル樹脂とビニル系共重合体との混合物、（ｅ）ハイブリッド樹脂とポリエステル樹脂との混合物からなる群から選択される樹脂であることを特徴とする請求項１〜５のいずれか一項に記載のブラックトナー。
【請求項７】
前記ブラックトナーの断面ＴＥＭ観察によって測長されるカーボンブラックの平均一次粒径が、１７〜５５ｎｍであることを特徴とする請求項１〜６のいずれか一項に記載のブラックトナー。
【請求項８】
前記ブラックトナーの断面ＴＥＭ観察によって測長されるカーボンブラックの平均一次粒径が、２０〜５０ｎｍであることを特徴とする請求項１〜６のいずれか一項に記載のブラックトナー。
【請求項９】
前記ブラックトナーの重量平均粒径が、４〜１０μｍであることを特徴とする請求項１〜８のいずれか一項に記載のブラックトナー。
【請求項１０】
前記ブラックトナーは多色画像を再現するフルカラー画像形成用のブラックトナーであることを特徴とする請求項１〜９のいずれか一項に記載のブラックトナー。
【手続補正２】
【補正対象書類名】明細書
【補正対象項目名】００３７
【補正方法】変更
【補正の内容】
【００３７】
酸成分としては、フタル酸、イソフタル酸及びテレフタル酸等の芳香族ジカルボン酸類又はその無水物；こはく酸、アジピン酸、セバシン酸及びアゼライン酸等のアルキルジカルボン酸類又はその無水物；炭素数６〜１２のアルキル基で置換されたこはく酸もしくはその無水物；フマル酸、マレイン酸及びシトラコン酸等の不飽和ジカルボン酸類又はその無水物；等が挙げられる。
【手続補正３】
【補正対象書類名】明細書
【補正対象項目名】００５９
【補正方法】変更
【補正の内容】
【００５９】
本発明のブラックトナーは、低温定着性と耐ブロッキング性を両立するという観点から、示差走査熱量測定（ＤＳＣ）における吸熱曲線において、温度３０〜２００℃の範囲に１個又は複数の吸熱ピークを有し、該吸熱ピーク中の最大吸熱ピークのピーク温度が６０〜１１０℃の範囲にあることが望ましい。より好ましくは６５〜１００℃の範囲に吸熱曲線の最大ピークがあることが望ましい。
【手続補正４】
【補正対象書類名】明細書
【補正対象項目名】００６０
【補正方法】変更
【補正の内容】
【００６０】
最大吸熱ピークのピーク温度が６０℃未満である場合はトナーの耐ブロッキング性が悪くなり、逆に最大吸熱ピークのピーク温度が１１０℃超の場合は定着性が低下してしまう傾向がある。本発明のブラックトナーが、上記範囲の吸熱ピークを有するには以下に示すワックスを用いればよい。本発明に用いられるワックスとしては、次のものが挙げられる。低分子量ポリエチレン、低分子量ポリプロピレン、マイクロクリスタリンワックス、パラフィンワックスなどの脂肪族炭化水素系ワックス、また酸化ポリエチレンワックスなどの脂肪族炭化水素系ワックスの酸化物、またはそれらのブロック共重合物；カルナバワックス、サゾールワックス、モンタン酸エステルワックスなどの脂肪酸エステルを主成分とするワックス類、及び脱酸カルナバワックスなどの脂肪酸エステル類を一部または全部を脱酸化したものなどが挙げられる。さらに、パルミチン酸、ステアリン酸、モンタン酸などの飽和直鎖脂肪酸類；ブランジン酸、エレオステアリン酸、パリナリン酸などの不飽和脂肪酸類；ステアリルアルコール、アラルキルアルコール、ベヘニルアルコール、カルナウビルアルコール、セリルアルコール、メリシルアルコールなどの飽和アルコール類；ソルビトールなどの多価アルコール類；リノール酸アミド、オレイン酸アミド、ラウリン酸アミドなどの脂肪酸アミド類；メチレンビスステアリン酸アミド、エチレンビスカプリン酸アミド、エチレンビスラウリン酸アミド、ヘキサメチレンビスステアリン酸アミドなどの飽和脂肪酸ビスアミド類；エチレンビスオレイン酸アミド、ヘキサメチレンビスオレイン酸アミド、Ｎ，Ｎ'−ジオレイルアジピン酸アミド、Ｎ，Ｎ'−ジオレイルセバシン酸アミドなどの不飽和脂肪酸アミド類；ｍ−キシレンビスステアリン酸アミド、Ｎ，Ｎ'−ジステアリルイソフタル酸アミドなどの芳香族系ビスアミド類；ステアリン酸カルシウム、ラウリン酸カルシウム、ステアリン酸亜鉛、ステアリン酸マグネシウムなどの脂肪族金属塩（一般に金属石けんといわれているもの）；脂肪族炭化水素系ワックスにスチレンやアクリル酸などのビニル系モノマーを用いてグラフト化させたワックス類；ベヘニン酸モノグリセリドなどの脂肪酸と多価アルコールの部分エステル化物；植物性油脂の水素添加などによって得られるヒドロキシル基を有するメチルエステル化合物などが挙げられる。
【手続補正５】
【補正対象書類名】明細書
【補正対象項目名】００８６
【補正方法】変更
【補正の内容】
【００８６】
ブラックトナーの重量平均粒径が１０μｍより大きい場合は、高画質化に寄与し得る微粒子が少ないことを意味し、高い画像濃度が得られ易く、トナーの流動性に優れるというメリットがあるものの、感光ドラム上の微細な静電荷像上には忠実に付着しづらく、ハイライト部の再現性が低下し、さらに解像性も低下する傾向がある。また、必要以上のトナーの静電荷像への乗りすぎが起こり、トナー消費量の増大を招きやすい傾向にもある。
【手続補正６】
【補正対象書類名】明細書
【補正対象項目名】０１２２
【補正方法】変更
【補正の内容】
【０１２２】
リーダ部ＩＩの原稿台ガラス１２ａに載置された原稿Ｄの画像は、露光ランプ１２ｂによって照射され、色分解されてまずイエローの画像がフルカラーセンサによって読み取られ、所定の処理を施され画像信号としてプリンタ部Ｉに送られる。
【手続補正７】
【補正対象書類名】明細書
【補正対象項目名】０１３０
【補正方法】変更
【補正の内容】
【０１３０】
上述の定着ローラ１０ａには、発熱手段である搬送ローラヒータ３６が芯金３１内に配設され、加圧ローラ１０ｂには、同じくヒータ３７が芯金３４内に配設されて転写材Ｐの両面からの加熱を行っている。